(57)【特許請求の範囲】
【請求項１】
所定の無線サービスエリアをカバーする基地局と、
上記無線サービスエリア内で上記基地局と通信を行う移動局と、
上記基地局を相互に接続し交換サービスを行う移動体交換網とを
備えた移動体通信システムにおいて、
上記無線サービスエリア内における小さい無線エリアをカバーし、上記移動局が上記無線エリアに位置することを検出する近距離無線通信装置と、
上記近距離無線通信装置による検出結果を上記移動体交換網に通知する無線エリア管理装置と、
上記無線エリア管理装置からの通知により、上記無線エリアに対応して上記移動局に対してネットワークサービスを提供する、上記移動体交換網に設置されたサービス制御装置とを備え、
上記移動局が、上記基地局から送信された、無線サービスエリア内に小さい無線エリアが存在することを知らせる無線エリア提供情報を含めた報知メッセージを受信し、受信した報知メッセージに含まれている無線エリア提供情報に基づき、上記近距離無線通信装置の検出動作を開始する
ことを特徴とする移動体通信システム。
【請求項２】
サービス制御装置が、無線エリアに対応して各移動局に対して異なるネットワークサービスを提供する
ことを特徴とする請求項１記載の移動体通信システム。
【請求項３】
基地局がカバーする無線サービスエリア内に小さい無線エリアを有する移動体通信システムにおいて、
上記無線エリアをカバーし、移動局が上記無線エリアに位置することを検出する近距離無線通信装置と、
上記近距離無線通信装置による検出結果を、上記無線エリアに対応して上記移動局に対してネットワークサービスを提供する移動体交換網に通知する無線エリア管理装置とを備え、
上記移動局が、上記基地局から送信された、無線サービスエリア内に小さい無線エリアが存在することを知らせる無線エリア提供情報を含めた報知メッセージを受信し、受信した報知メッセージに含まれている無線エリア提供情報に基づき、上記近距離無線通信装置の検出動作を開始する
ことを特徴とする移動体通信システム。
【請求項４】
無線エリア管理装置が、近距離無線通信装置による検出結果を、基地局を経由しない通信回線を介して移動体交換網に通知する
ことを特徴とする請求項１または請求項３記載の移動体通信システム。
【請求項５】
無線エリア管理装置が、近距離無線通信装置による検出結果を、基地局を経由する通信回線を介して移動体交換網に通知する
ことを特徴とする請求項１または請求項３記載の移動体通信システム。
【請求項６】
基地局がカバーする無線サービスエリア内に小さい無線エリアを有する移動体通信システムにおいて、
上記無線エリアをカバーし、移動局が上記無線エリアに位置することを検出する近距離無線通信装置と、
上記近距離無線通信装置による検出結果により、蓄積している上記無線エリア対応の上記移動局向け情報を取り出し、上記近距離無線通信装置を介して上記移動局に送信する無線エリア管理装置とを備え、
上記移動局が、上記基地局から送信された、無線サービスエリア内に小さい無線エリアが存在することを知らせる無線エリア提供情報を含めた報知メッセージを受信し、受信した報知メッセージに含まれている無線エリア提供情報に基づき、上記近距離無線通信装置の検出動作を開始する
ことを特徴とする移動体通信システム。
【請求項７】
移動局が、無線エリアに位置したときに、上記移動局の識別情報を近距離無線通信装置に通知する
ことを特徴とする請求項１，請求項３または請求項６のうちのいずれか１項記載の移動体通信システム。
【請求項８】
基地局がカバーする無線サービスエリアで通信を行う移動局において、
上記無線サービスエリア内の小さい無線エリア内に位置したときに、上記無線エリアをカバーする近距離無線通信装置に自己の識別情報を送信し、
上記近距離無線通信装置から上記無線エリアを管理する無線エリア管理装置を介して上記無線エリアに位置したことを示す情報を受信した移動体交換網により、上記無線エリアに対応したネットワークサービスの提供を受け、
上記基地局から送信された、上記無線サービスエリア内に小さい無線エリアが存在することを知らせる無線エリア提供情報を含めた報知メッセージを受信し、受信した上記報知メッセージに含まれている無線エリア提供情報に基づき、上記近距離無線通信装置の検出動作を開始する
ことを特徴とする移動局。
【請求項９】
基地局がカバーする無線サービスエリアで通信を行う移動局において、
上記無線サービスエリア内の小さい無線エリア内に位置したときに、上記無線エリアをカバーする近距離無線通信装置に自己の識別情報を送信し、
上記近距離無線通信装置から上記無線エリアに位置したことを示す情報を受信した上記無線エリアを管理する無線エリア管理装置により上記近距離無線通信装置を介して、上記無線エリアに対応したネットワークサービスの提供を受け、
上記基地局から送信された、上記無線サービスエリア内に小さい無線エリアが存在することを知らせる無線エリア提供情報を含めた報知メッセージを受信し、受信した上記報知メッセージに含まれている無線エリア提供情報に基づき、上記近距離無線通信装置の検出動作を開始する
ことを特徴とする移動局。
【発明の詳細な説明】
【０００１】
【発明の属する技術分野】
この発明は携帯電話等の移動体通信システムに関するもので、特に移動局の位置に応じて適切なネットワークサービスを提供する移動体通信システム及びそのネットワークサービスの提供を受ける移動局に関するものである。
【０００２】
【従来の技術】
図８は、第１の従来技術である特開平１０−９４０５７号公報に開示された、移動局が位置する無線サービスエリアに応じてサービス内容を切り替える移動体通信システムの構成を示す図である。図において、５１は移動局、５２ａ，５２ｂ，５２ｃは移動局５１にサービスを提供する基地局、５３ａ，５３ｂ，５３ｃは基地局５２ａ，５２ｂ，５２ｃがそれぞれ提供する無線サービスエリア、５４は基地局５２ａ，５２ｂ，５２ｃを複数接続して移動体交換サービスを提供する交換機、５５は無線サービスエリア５３ａ，５３ｂ，５３ｃの各々において、移動局５１に提供するサービス内容を定義したデータベースである。
【０００３】
次に図８の移動体通信システムの動作について説明する。
図９はデータベース５５に定義されている基地局５２ａ，５２ｂ，５２ｃに対応したサービス内容を示す図である。移動局５１が基地局５２ａにより提供される無線サービスエリア５３ａにいるとする。このとき、図９に示すように、基地局５２ａに対応したサービス内容は「規制なし」であるため、無線サービスエリア５３ａで報知されている報知情報には、規制情報として「規制なし」が設定される。この報知情報を受信した移動局５１は、規制動作することなく通常の動作を続ける。
【０００４】
移動局５１が移動して、基地局５２ｂにより提供される無線サービスエリア５３ｂに移動してきたとする。このとき、図９に示すように、基地局５２ｂでのサービス内容は「着信音量小」であるため、無線サービスエリア５３ｂで報知されている報知情報には、規制情報として「着信音量小」が設定される。この報知情報を受信した移動局５１は、規制情報に従って着信音量を自動的に小さくする。
【０００５】
引き続き移動局５１が移動して、基地局５２ｃにより提供される無線サービスエリア５３ｃに移動してきたとする。このとき、図９に示すように、基地局５２ｃでのサービス内容は「着信規制」であるため、無線サービスエリア５３ｃで報知されている報知情報には、規制情報として「着信規制」が設定される。この報知情報を受信した移動局５１は、規制情報に従って着信動作を停止する。このようにして、移動局５１が位置する無線サービスエリア５３ａ，５３ｂ，５３ｃ毎にサービス内容の切り替えを行っている。
【０００６】
図１０は、第２の従来技術である特開平１１−３３１９５５号公報に開示された、移動局の位置によりサービスを規制する移動体通信システムの構成を示す図である。図において、５６は基地局５２を複数接続して移動体交換サービスを提供する移動体交換網、５７は移動局５１に規制信号を送信する発着信規制信号発生装置、５８は発着信規制信号発生装置５７が発生する規制信号が到達する規制エリアであり、その他の移動局５１，基地局５２，無線サービスエリア５３は図８と同等のものである。
【０００７】
次に図１０の移動体通信システムの動作について説明する。
移動局５１は、基地局５２により提供される無線サービスエリア５３にいるときには、任意に無線回線を設定して移動体交換網５６が提供する移動体通信サービスを受けることができる。一方、基地局５２が提供する無線サービスエリア５３の中に置かれた発着信規制信号発生装置５７は、移動局５１に対して、発着信を規制する情報を規制エリア５８に報知している。
【０００８】
移動局５１が移動して規制エリア５８の中に入ると、発着信規制信号発生装置５７が送信している規制信号を受信するため、移動局５１は発着信動作を停止する。引き続き移動局５１が移動して規制エリア５８の外に出ると、発着信規制信号発生装置５７が送信している規制信号を受信しなくなるため、移動局５１は通常の発着信動作を開始する。このようにして、移動局５１のいるエリアに対応してサービスを規制している。
【０００９】
図１１は、第３の従来技術である特開２０００−１３４１４７号公報に開示された、移動局の位置によりサービスを提供する移動体通信システムの構成を示す図である。図において、５９は基地局５２を複数接続して移動体交換サービスを提供すると共に有線通信も提供する公衆網、６０は移動局５１の接近を検出するための電波ビーコン装置、６１は電波ビーコン装置６０が送信する電波ビーコン信号の受信エリア、６２は公衆網５９を介して移動局５１に情報を送信するためのデータ通信装置であり、その他の移動局５１，基地局５２，無線サービスエリア５３は、図８と同等のものである。
【００１０】
次に図１１に示す移動体通信システムの動作について説明する。
移動局５１が移動して電波ビーコン信号の受信エリア６１に入ると、電波ビーコン装置６０は移動局５１が接近したことを検出し、データ通信装置６２に移動局５１への情報通信を指示する。データ通信装置６２は公衆網５９，基地局５２を介して、移動局５１に例えば商品宣伝等の情報を送信する。このようにして、例えば、電波ビーコン装置６０が置かれた店鋪に移動局５１が接近したときに、商品宣伝情報等を自動的に送り込むというサービスが実行される。
【００１１】
【発明が解決しようとする課題】
上記第１の従来技術では、サービス内容の制御に基地局５２が報知する情報を利用するため、サービスを提供するサービス制御エリアが基地局５２の無線サービスエリア５３単位となり、数Ｋｍという比較的大きな無線サービスエリア５３を持つシステムでは、例えばそのエリア内での着信制限というサービスを提供する場合に、範囲が大きすぎて現実的ではないという課題があった。
【００１２】
また、上記第２の従来技術では、移動局５１に対して発着信を規制する発着信規制信号発生装置５７が、移動体交換網５６と切り離されているために、移動局５１毎に異なるネットワークサービスを提供することができないという課題があった。
【００１３】
さらに、上記第３の従来技術では、移動局５１への情報提供手段として公衆網５９を用いているため、当該移動局５１が通信中の場合には情報提供できなかったり、通信用の無線リソースを使ってしまい、通信料金がかかってしまうという課題があった。
【００１４】
この発明は上記のような課題を解決するためになされたもので、基地局が提供する比較的大きな無線サービスエリア内の一部を、さらに小さい複数の無線エリアに分割し、細かいサービス制御エリアを設定して、肌理の細かいネットワークサービスを提供する移動体通信システム及びそのネットワークサービスを受ける移動局を得ることを目的とする。
【００１５】
また、分割された小さい複数の無線エリアにいる移動局の情報を、移動体交換網に通知することにより、移動局に応じて様々なネットワークサービスを提供する移動体通信システム及びそのネットワークサービスを受ける移動局を得ることを目的とする。
【００１６】
さらに、移動局が通信中の場合にも、通信用の無線リソースを使用することなく、ネットワークサービスを移動局に提供する移動体通信システム及びそのネットワークサービスを受ける移動局を得ることを目的とする。
【００１７】
【課題を解決するための手段】
この発明に係る移動体通信システムは、所定の無線サービスエリアをカバーする基地局と、上記無線サービスエリア内で上記基地局と通信を行う移動局と、上記基地局を相互に接続し交換サービスを行う移動体交換網とを備えたものにおいて、上記無線サービスエリア内における小さい無線エリアをカバーし、上記移動局が上記無線エリアに位置することを検出する近距離無線通信装置と、上記近距離無線通信装置による検出結果を上記移動体交換網に通知する無線エリア管理装置と、上記無線エリア管理装置からの通知により、上記無線エリアに対応して上記移動局に対してネットワークサービスを提供する、上記移動体交換網に設置されたサービス制御装置とを備えたものである。
【００１８】
この発明に係る移動体通信システムは、サービス制御装置が、無線エリアに対応して各移動局に対して異なるネットワークサービスを提供するものである。
【００１９】
この発明に係る移動体通信システムは、基地局がカバーする無線サービスエリア内に小さい無線エリアを有するものにおいて、上記無線エリアをカバーし、移動局が上記無線エリアに位置することを検出する近距離無線通信装置と、上記近距離無線通信装置による検出結果を、上記無線エリアに対応して上記移動局に対してネットワークサービスを提供する移動体交換網に通知する無線エリア管理装置とを備えたものである。
【００２０】
この発明に係る移動体通信システムは、無線エリア管理装置が、近距離無線通信装置による検出結果を、基地局を経由しない通信回線を介して移動体交換網に通知するものである。
【００２１】
この発明に係る移動体通信システムは、無線エリア管理装置が、近距離無線通信装置による検出結果を、基地局を経由する通信回線を介して移動体交換網に通知するものである。
【００２２】
この発明に係る移動体通信システムは、基地局がカバーする無線サービスエリア内に小さい無線エリアを有するものにおいて、上記無線エリアをカバーし、移動局が上記無線エリアに位置することを検出する近距離無線通信装置と、上記近距離無線通信装置による検出結果により、蓄積している上記無線エリア対応の上記移動局向け情報を取り出し、上記近距離無線通信装置を介して上記移動局に送信する無線エリア管理装置とを備えたものである。
【００２３】
この発明に係る移動体通信システムは、移動局が、無線エリアに位置したときに、上記移動局の識別情報を近距離無線通信装置に通知するものである。
【００２４】
この発明に係る移動体通信システムは、移動局が、基地局から送信された、無線サービスエリア内に小さい無線エリアが存在することを知らせる無線エリア提供情報を含めた報知メッセージを受信し、受信した報知メッセージに含まれている無線エリア提供情報に基づき、近距離無線通信装置の検出動作を開始するものである。
【００２５】
この発明に係る移動局は、基地局がカバーする無線サービスエリアで通信を行うものにおいて、上記無線サービスエリア内の小さい無線エリア内に位置したときに、上記無線エリアをカバーする近距離無線通信装置に自己の識別情報を送信し、上記近距離無線通信装置から上記無線エリアを管理する無線エリア管理装置を介して上記無線エリアに位置したことを示す情報を受信した移動体交換網により、上記無線エリアに対応したネットワークサービスの提供を受けるものである。
【００２６】
この発明に係る移動局は、基地局がカバーする無線サービスエリアで通信を行うものにおいて、上記無線サービスエリア内の小さい無線エリア内に位置したときに、上記無線エリアをカバーする近距離無線通信装置に自己の識別情報を送信し、上記近距離無線通信装置から上記無線エリアに位置したことを示す情報を受信した上記無線エリアを管理する無線エリア管理装置により、上記無線エリアに対応したネットワークサービスの提供を受けるものである。
【００２７】
この発明に係る移動局は、基地局から送信された、無線サービスエリア内に小さい無線エリアが存在することを知らせる無線エリア提供情報を含めた報知メッセージを受信し、受信した上記報知メッセージに含まれている無線エリア提供情報に基づき、近距離無線通信装置の検出動作を開始するものである。
【００２８】
【発明の実施の形態】
実施の形態１．
図１は、この発明の実施の形態１による移動体通信システムの構成を示す図である。図において、１ａ，１ｂは移動局、２ａ，２ｂは移動局１ａ，１ｂと通信を行い、移動局１ａ，１ｂにサービスを提供する基地局、３ａ，３ｂは基地局２ａ，２ｂがそれぞれ提供する無線サービスエリア、４は基地局２ａ，２ｂを複数接続して移動体交換サービスを提供する移動体交換網、５は移動体交換網４に設置され、ネットワークサービスを提供するサービス制御装置である。
【００２９】
６ａ，６ｂ，６ｃ，６ｄは無線サービスエリア３ａ内の一部をさらに小さい複数の無線エリア７ａ，７ｂ，７ｃ，７ｄにそれぞれ分割し、無線エリア７ａ，７ｂ，７ｃ，７ｄ内に移動局１ａ，１ｂが位置することを、移動局１ａ，１ｂからの識別情報により検出する近距離無線通信装置、８は近距離無線通信装置６ａ，６ｂ，６ｃ，６ｄが入手した移動局１ａ，１ｂが無線エリア７ａ，７ｂ，７ｃ，７ｄ内に位置していることを示す情報を、インターネット等のデータ通信網９を介して移動体交換網４に設置されているサービス制御装置５に通知する無線エリア管理装置である。近距離無線通信装置６ａ，６ｂ，６ｃ，６ｄは、例えば、建物の中の各フロアー毎に設置されているものとする。
【００３０】
図２はサービス制御装置５に設置され、複数に分割された小さい無線エリア７ａ，７ｂ，７ｃ，７ｄに対応した移動局１ａ，１ｂへのネットワークサービスを規定するテーブルの例を示す図である。
【００３１】
図３はこの発明の実施の形態１による移動局１の構成を示す図である。図において、１０１は近距離無線通信装置６ａ，６ｂ，６ｃ，６ｄと通信を行う近距離無線通信部、１０２は近距離無線通信部１０１内の無線制御部、１０３は近距離無線通信部１０１内の識別信号送信部、１０４は従来の携帯電話の機能を実現する携帯電話機能部である。
【００３２】
次に動作について説明する。
図１において、移動局１ａが基地局２ａの無線サービスエリア３ａ内に位置して移動体通信サービスを受けているとする。この移動局１ａが近距離無線通信装置６ａ〜６ｄにより複数の無線エリア７ａ〜７ｄに分割された無線エリアに入ると、例えば最も近い近距離無線通信装置６ｄと移動局１ａとの間で通信が行われる。
【００３３】
移動局１ａが、図３に示す無線制御部１０２により、近距離無線通信装置６ｄの近くにきたことを検出すると、近距離無線通信装置６ｄと移動局１ａ側の近距離無線通信部１０１との間で無線リンクが設定される。その後、移動局１ａの識別信号送信部１０３から移動局１ａの識別情報が近距離無線通信装置６ｄへ送信される。
【００３４】
移動局１ａの識別情報が近距離無線通信装置６ｄから無線エリア管理装置８に通知され、移動局１ａが近距離無線通信装置６ｄの無線エリア７ｄに位置しているという情報が、無線エリア管理装置８からデータ通信網９を介して移動体交換網４に設置されているサービス制御装置５に通知される。
【００３５】
サービス制御装置５は図２に示すネットワークサービスを検索し、移動局１ａが近距離無線通信装置６ｄの無線エリア７ｄにいる場合のネットワークサービスを得る。図２に示す例の場合は「規制なし」であるので、サービス制御装置５は特に規制動作をとらない。
【００３６】
移動局１ａがさらに移動して、近距離無線通信装置６ｃの近くにきた場合、上記と同様にして、移動局１ａが近距離無線通信装置６ｃの無線エリア７ｃに位置しているという情報が、無線エリア管理装置８からデータ通信網９を介して移動体交換網４に設置されているサービス制御装置５に通知される。
【００３７】
サービス制御装置５は図２に示すネットワークサービスを検索し、移動局１ａが近距離無線通信装置６ｃの無線エリア７ｃにいる場合のネットワークサービスを得る。図２に示す例の場合は「着信不可（転送）」であるので、サービス制御装置５は移動局１ａ宛の着信があった場合には、予め定められた転送先に着信呼を転送する動作をとる。
【００３８】
また、無線エリア管理装置８は移動局１ａが近距離無線通信装置６ａ〜６ｄの無線エリア７ａ〜７ｄの領域にいる間、移動局１ａの存在を定期的にサービス制御装置５に通知する。この通知が一定時間以上受信されなくなったときに、サービス制御装置５は移動局１ａが無線エリア７ａ〜７ｄの領域外に出たものと判断する。
【００３９】
上記説明では、移動局１ａが無線エリア７ａ〜７ｄの領域に入った場合であるが、移動局１ｂが無線エリア７ａ〜７ｄの領域に入った場合には、サービス制御装置５が参照するテーブルは図２の移動局１ｂの列となる。よって、移動局１ｂが近距離無線通信装置６ｄの無線エリア７ｄ内に位置している場合は、移動局１ａの場合と同様に「規制なし」となり、近距離無線通信装置６ｃの無線エリア７ｃ内に位置している場合は、「着信不可（留守番電話）」であるので、移動局１ｂへの着信を留守番電話サービスに接続するという動作をとることになる。このようにして、移動局１ａ，１ｂの位置に応じたネットワークサービスの切り替えが実行される。
【００４０】
以上のように、この実施の形態１によれば、基地局２ａが提供する無線サービスエリア３ａ内の小さい無線エリア６ａ〜６ｄに対応して、移動局１ａ，１ｂに対して、肌理の細かいネットワークサービスの切り替えを行うことができるという効果が得られる。
【００４１】
また、この実施の形態１によれば、無線エリア管理装置８が、小さい複数の無線エリア７ａ〜７ｄに移動局１ａ，１ｂが位置している情報を、移動体交換網４に通知することにより、移動局１ａ，１ｂに応じて様々なネットワークサービスを提供することができるという効果が得られる。
【００４２】
さらに、この実施の形態１によれば、無線エリア管理装置８が、小さい複数の無線エリア７ａ〜７ｄに移動局１ａ，１ｂが位置している情報を、移動体交換網４に通知する場合に、基地局２ａを経由せずに、インターネット等のデータ通信網９の通信回線を使用して通知しているので、基地局２ａから遠方の地域でも、近距離無線通信装置６ａ〜６ｄと無線エリア管理装置８を設置することができ、ネットワークサービスのための無線エリアを数多く設置することができるという効果が得られる。
【００４３】
実施の形態２．
図４はこの発明の実施の形態２による移動体通信システムの構成を示す図であり、実施の形態１の図１との相違点は、データ通信網９を削除し、無線エリア管理装置８と基地局２が有線回線で接続され、無線エリア管理装置８は、近距離無線通信装置６ａ〜６ｄが入手した移動局１ａ，１ｂが無線エリア７ａ〜７ｄ内に位置していることを示す情報を、基地局２ａを介して移動体交換網４に通知する点である。また、移動局１ａ，１ｂの構成は実施の形態１の図３と同等である。この実施の形態２における近距離無線通信装置６ａ〜６ｄ及び無線エリア管理装置８は、例えば、基地局２ａが設置されている同じ建物の各フロアーに設置されるものとする。
【００４４】
次に動作について説明する。
移動局１ａが基地局２ａの無線サービスエリア３ａ内の無線エリア７ｄの領域に入ると、近距離無線通信装置６ｄと移動局１ａとの間で通信が行われ、移動局１ａが近距離無線通信装置６ｄの無線エリア７ｄに位置しているという情報が、無線エリア管理装置８から基地局２ａを介して、移動体交換網４に設置されているサービス制御装置５に通知される。その他の動作は、実施の形態１と同様である。
【００４５】
以上のように、この実施の形態２によれば、基地局２ａが提供する無線サービスエリア３ａ内の小さい無線エリア７ａ〜７ｄに対応して、移動局１ａ，１ｂに対して、肌理の細かいネットワークサービスの切り替えを行うことができるという効果が得られる。
【００４６】
また、この実施の形態２によれば、小さい複数の無線エリア７ａ〜７ｄに移動局１ａ，１ｂが位置しているという情報を、移動体交換網４に通知することにより、移動局１ａ，１ｂに応じて様々なネットワークサービスを提供することができるという効果が得られる。
【００４７】
さらに、この実施の形態２によれば、無線エリア管理装置８が、小さい複数の無線エリア７ａ〜７ｄに移動局１ａ，１ｂが位置しているという情報を、基地局２ａを経由して移動体交換網４に通知しているので、基地局２ａと近距離無線通信装置６ａ〜６ｄ，無線エリア管理装置８を同一場所、同一装置に置くことができ、設置場所を小さくできると共に、基地局２ａを設置する建物等での携帯電話サービスの質を向上させることができるという効果が得られる。
【００４８】
実施の形態３．
図５はこの発明の実施の形態３による移動体通信システムの構成を示す図である。図において、１１は移動局、１２ａ，１２ｂ，１２ｃ，１２ｄは小さい複数の無線エリア１３ａ，１３ｂ，１３ｃ，１３ｄにそれぞれ分割する双方向通信可能な（例えばＢｌｕｅｔｏｏｔｈ等の）近距離無線通信装置、１４は近距離無線通信装置１２ａ，１２ｂ，１２ｃ，１２ｄを介して移動局１１が無線エリア１３ａ，１３ｂ，１３ｃ，１３ｄに位置している情報を得る無線エリア管理装置、１４１は近距離無線通信装置１２ａ〜１２ｄの無線エリア１３ａ〜１３ｄエリア対応の移動局１１向け情報を保持する情報蓄積手段である。
【００４９】
図６はこの発明の実施の形態３による移動局１１の構成を示す図である。図において、１１１は近距離無線通信部、１１２は近距離無線通信部１１１の無線制御部、１１３は近距離無線通信部１１１の識別信号送信部、１１４は受信した移動局１１向け情報を表示するための受信情報表示手段、１１５は従来の携帯電話の機能を実現する携帯電話機能部である。
【００５０】
次に動作について説明する。
移動局１１が近距離無線通信装置１２ｄの無線エリア１３ｄの領域に入った場合、近距離無線通信装置１２ｄと移動局１１との間で通信が行われる。図６において、移動局１１が近距離無線通信装置１２ｄの無線エリア１３ｄの領域に入ったことを無線制御部１１２で検出すると、近距離無線通信装置１２ｄと移動局１１側の近距離無線通信部１１１との間で無線リンクが設定される。その後、識別信号送信部１１３から移動局１１の識別情報が近距離無線通信装置１２ｄへ送信され、移動局１１が近距離無線通信装置１２ｄの無線エリア１３ｄに位置しているという情報が、無線エリア管理装置１４に通知される。
【００５１】
移動局１１が近距離無線通信装置１２ｄの無線エリア１３ｄに位置しているという情報を通知された無線エリア管理装置１４は、各々の無線エリア１３ａ〜１３ｄに対応した移動局１１向けの情報を保持している情報蓄積手段１４１から、無線エリア１３ｄに対応した情報を取り出し、近距離無線通信装置１２ｄを介して移動局１１に当該情報を送信する。
【００５２】
近距離無線通信装置１２ｄを介して情報を受信した移動局１１は、図６に示す受信情報表示手段１１４により受信した情報を移動局１１のユーザに表示する。このようにして、通信用の無線リソースを使用せずに、移動局１１の位置に応じた情報を提供するというネットワークサービスが実行される。
【００５３】
以上のように、この実施の形態３によれば、近距離無線通信装置１２ａ〜１２ｄが、移動局１１が無線エリア１３ａ〜１３ｄに位置しているという情報を無線エリア管理装置１４に送信し、無線エリア管理装置１４が情報蓄積手段１４１に蓄積している無線エリア１３ａ〜１３ｄに対応した移動局１１向けの情報を抽出して、近距離無線通信装置１２ａ〜１２ｄを介して送信することにより、貴重な通信用の無線リソースを無駄にすることなく、多くの情報を移動局１１に伝送することができるという効果が得られる。
【００５４】
実施の形態４．
この発明の実施の形態４による移動体通信システムの構成は、実施の形態１の図１と同様であり、移動局１の構成は実施の形態１の図３と同様である。図７はこの発明の実施の形態４による報知メッセージの構成を示す図である。図に示すように、基地局２ａ，２ｂから報知される報知メッセージは、無線エリア提供情報とその他の報知情報とから構成されている。
【００５５】
図１における基地局２ａでは、無線エリア提供情報に「無線エリア提供あり」を設定した報知メッセージを報知している。移動局１ａが基地局２ａの無線サービスエリア３ａに入ると、上記報知メッセージを受信するので、近距離無線通信装置６ａ〜６ｄを検出するために、移動局１ａ側の近距離無線通信部１０１を起動し、近距離無線通信装置６ａ〜６ｄの検出動作を開始する。
【００５６】
移動局１ａが基地局２ｂの無線サービスエリア３ｂに移動すると、無線エリア提供情報に「無線エリア提供なし」を設定した報知メッセージを報知している。この報知メッセージを受信した移動局１ａは、近距離無線通信装置６ａ〜６ｄの検出動作を停止する。以上により、必要な無線サービスエリア３ａでのみ、移動局１ａに近距離無線通信装置６ａ〜６ｄの検出動作を行わせることができる。
【００５７】
この実施の形態の報知メッセージは、上記説明では実施の形態１に適用しているが、実施の形態２及び実施の形態３についても適用可能である。
【００５８】
以上のように、この実施の形態４によれば、小さい無線エリア７ａ〜７ｄを有する無線サービスエリア３ａでのみ、移動局１ａに近距離無線通信装置６ａ〜６ｄの検出動作を行わせ、小さい無線エリア７ａ〜７ｄのない無線サービスエリア３ｂでは、移動局１ａに近距離無線通信装置６ａ〜６ｄの検出動作を行わせないことにより、移動局１ａ，１ｂの無駄な検出動作を止めることができ、電力消費量を小さくできるという効果が得られる。
【００５９】
上記各実施の形態では、小さな無線エリア７ａ〜７ｄ（１３ａ〜１３ｄ）に分割するために、近距離無線通信装置６ａ〜６ｄ（１２ａ〜１２ｄ）と無線エリア管理装置８（１４）による専用設備で実現する方法を示したが、近距離無線通信装置６ａ〜６ｄ（１２ａ〜１２ｄ）を無線ＬＡＮ基地局、無線エリア管理装置８（１４）をソフトウェアにより実装したエリア管理機能と外部ネットワークとのゲートウェイ機能を持つサーバコンピュータとする無線ＬＡＮシステムによって構成することもできる。
【００６０】
【発明の効果】
以上のように、この発明によれば、移動体通信システムが、基地局と、移動局と、移動体交換網と、無線サービスエリア内における小さい無線エリアをカバーし移動局が無線エリアに位置することを検出する近距離無線通信装置と、近距離無線通信装置による検出結果を移動体交換網に通知する無線エリア管理装置と、無線エリア管理装置からの通知により、無線エリアに対応して移動局に対してネットワークサービスを提供するサービス制御装置とを備えたことにより、無線サービスエリア内の小さい無線エリアに対応して、移動局に対して肌理の細かいネットワークサービスの切り替えを行うことができるという効果がある。
【００６１】
この発明によれば、サービス制御装置が、無線エリアに対応して各移動局に対して異なるネットワークサービスを提供することにより、移動局に応じて様々なネットワークサービスを提供することができるという効果がある。
【００６２】
この発明によれば、移動体通信システムが、無線エリアをカバーし移動局が無線エリアに位置することを検出する近距離無線通信装置と、近距離無線通信装置による検出結果を、無線エリアに対応して移動局に対してネットワークサービスを提供する移動体交換網に通知する無線エリア管理装置とを備えたことにより、無線サービスエリア内の小さい無線エリアに対応して、移動局に対して、肌理の細かいネットワークサービスの切り替えを行うことができるという効果がある。
【００６３】
この発明によれば、無線エリア管理装置が、近距離無線通信装置による検出結果を、基地局を経由しない通信回線を介して移動体交換網に通知することにより、基地局から遠方の地域でも、近距離無線通信装置と無線エリア管理装置を設置することができ、ネットワークサービスのための無線エリアを数多く設置することができるという効果がある。
【００６４】
この発明によれば、無線エリア管理装置が、近距離無線通信装置による検出結果を、基地局を経由する通信回線を介して移動体交換網に通知することにより、基地局と近距離無線通信装置、無線エリア管理装置を同一場所、同一装置に置くことができ、設置場所を小さくできると共に、基地局を設置する建物等での携帯電話サービスの質を向上させることができるという効果がある。
【００６５】
この発明によれば、移動体通信システムが、無線エリアをカバーし移動局が無線エリアに位置することを検出する近距離無線通信装置と、近距離無線通信装置による検出結果により、蓄積している無線エリア対応の移動局向け情報を取り出し、近距離無線通信装置を介して移動局に送信する無線エリア管理装置とを備えたことにより、貴重な通信用の無線リソースを無駄にすることなく、多くの情報を移動局に伝送することができるという効果がある。
【００６６】
移動局が、基地局から送信された、無線サービスエリア内に小さい無線エリアが存在することを知らせる無線エリア提供情報を含めた報知メッセージを受信し、受信した報知メッセージに含まれている無線エリア提供情報に基づき、近距離無線通信装置の検出動作を開始することにより、移動局の無駄な検出動作を止めることができ、電力消費量を小さくできるという効果が得られる。
【００６７】
この発明によれば、移動局が、無線サービスエリア内の小さい無線エリア内に位置したときに、無線エリアをカバーする近距離無線通信装置に自己の識別情報を送信し、近距離無線通信装置から無線エリア管理装置を介して無線エリアに位置したことを示す情報を受信した移動体交換網により、無線エリアに対応したネットワークサービスの提供を受けることにより、肌理の細かいネットワークサービス受けることができるという効果がある。
【００６８】
この発明によれば、移動局が、無線サービスエリア内の小さい無線エリア内に位置したときに、無線エリアをカバーする近距離無線通信装置に自己の識別情報を送信し、近距離無線通信装置から無線エリアに位置したことを示す情報を受信した無線エリアを管理する無線エリア管理装置により、無線エリアに対応したネットワークサービスの提供を受けることにより、貴重な通信用の無線リソースを無駄にすることなく、多くの情報を入手することができるという効果がある。
【００６９】
この発明によれば、移動局が、基地局から送信された、無線サービスエリア内に小さい無線エリアが存在することを知らせる無線エリア提供情報を含めた報知メッセージを受信し、受信した報知メッセージに含まれている無線エリア提供情報に基づき、近距離無線通信装置の検出動作を開始することにより、移動局の無駄な検出動作を止めることができ電力消費量を小さくできるという効果がある。
【図面の簡単な説明】
【図１】  この発明の実施の形態１による移動体通信システムの構成を示す図である。
【図２】  この発明の実施の形態１による無線エリアに対応した移動局へのネットワークサービスを規定するテーブルの例を示す図である。
【図３】  この発明の実施の形態１による移動局の構成を示す図である。
【図４】  この発明の実施の形態２による移動体通信システムの構成を示す図である。
【図５】  この発明の実施の形態３による移動体通信システムの構成を示す図である。
【図６】  この発明の実施の形態３による移動局の構成を示す図である。
【図７】  この発明の実施の形態４による報知メッセージの構成を示す図である。
【図８】  従来の移動体通信システムの構成を示す図である。
【図９】  従来のデータベースに定義されている基地局に対応したサービス内容を示す図である。
【図１０】  従来の移動体通信システムの構成を示す図である。
【図１１】  従来の移動体通信システムの構成を示す図である。
【符号の説明】
１ａ，１ｂ  移動局、２ａ，２ｂ  基地局、３ａ，３ｂ  無線サービスエリア、４  移動体交換網、５  サービス制御装置、６ａ，６ｂ，６ｃ，６ｄ  近距離無線通信装置、７ａ，７ｂ，７ｃ，７ｄ  無線エリア、８  無線エリア管理装置、９  データ通信網、１１  移動局、１２ａ，１２ｂ，１２ｃ，１２ｄ  近距離無線通信装置、１３ａ，１３ｂ，１３ｃ，１３ｄ  無線エリア、１４  無線エリア管理装置、１０１  近距離無線通信部、１０２  無線制御部、１０３  識別信号送信部、１０４  携帯電話機能部、１１１  近距離無線通信部、１１２  無線制御部、１１３  識別信号送信部、１１４  受信情報表示手段、１１５  携帯電話機能部、１４１  情報蓄積手段。
【図１】
0004485038.tif 000002
【図２】
0004485038.tif 000003
【図３】
0004485038.tif 000004
【図４】
0004485038.tif 000005
【図５】
0004485038.tif 000006
【図６】
0004485038.tif 000007
【図７】
0004485038.tif 000008
【図８】
0004485038.tif 000009
【図９】
0004485038.tif 000010
【図１０】
0004485038.tif 000011
【図１１】
0004485038.tif 000012